(57)【要約】    【課題】  植物生育材を上側に支持するための下方透水及び上下通気可能な多孔状の支持盤部と、その支持盤部の下側に固定されて支持盤部を支持する多数の支柱部を備えてなり、被載置面部上に載置した状態においてその被載置面部に対する固定性を高めることができる植物生育材支持体、その植物生育材支持体を用いた植物生育材支持構造及び植物生育材支持構造の製法の提供。    【解決手段】  植物生育材６０を上側に支持するための下方透水及び上下通気可能な多孔状の支持盤部２０の下側に固定されて支持盤部２０を支持する多数の支柱部３０・３２を備えた植物生育材支持体１０。平面視における所定区域２５内に多数の支柱部３０が位置し、隣接する複数の支柱部３０の下端部を、被載置面部上に載置され得る底面水平状の連結板部４０に固定されることにより、支柱部３０同士を連結板部４０を介して連結する。【選択図】      図１１
2016002045.tif 000002
【特許請求の範囲】
【請求項１】
植物生育材を上側に支持するための下方透水及び上下通気可能な多孔状の支持盤部と、その支持盤部の下側に固定されて支持盤部を支持する多数の支柱部を備えてなる植物生育材支持体であって、
平面視における所定区域内に多数の支柱部が位置し、
前記所定区域内において、隣接する複数の支柱部の下端部が、被載置面部上に載置され得る底面水平状の連結板部に固定されることにより、前記支柱部同士が連結板部を介して連結されていることを特徴とする植物生育材支持体。
【請求項２】
平面視における上記所定区域内に、被載置面部上に載置され得る底面水平状の連結板部を複数有し、各連結板部に、隣接する複数の支柱部の下端部が固定され、それらの支柱部同士が連結板部を介して連結されている請求項１記載の植物生育材支持体。
【請求項３】
隣接する３又は４以上の支柱部の下端部が、連結板部における互いに離隔した位置に固定されている請求項１又は２記載の植物生育材支持体。
【請求項４】
隣接する３又は４以上の支柱部の下端部が、連結板部の外周縁部における互いに離隔した位置に固定されている請求項１又は２記載の植物生育材支持体。
【請求項５】
請求項１乃至４の何れか１項に記載の植物生育材支持体の連結板部の底面側が、被載置面部に設けられた接着又は粘着保持手段により保持された植物生育材支持構造。
【請求項６】
請求項１乃至４の何れか１項に記載の植物生育材支持体の連結板部の底面側を、被載置面部に設けられた接着又は粘着保持手段に保持させる植物生育材支持構造の製法。
【発明の詳細な説明】
【技術分野】
【０００１】
本発明は、植物生育材を上側に支持するための下方透水及び上下通気可能な多孔状の支持盤部を多数の支柱部で支持する、屋上等の緑化のために用いられる植物生育材支持体、その植物生育材支持体を用いた植物生育材支持構造及び植物生育材支持構造の製法に関する。
【背景技術】
【０００２】
特開２００７−３１２６０５号公報には、支持体３０と植物生育用マット２０が結合体４０により結合された植物栽培具Ｍを、載置面接着用部材Ｂを用いて載置面Ｃに対し固定する技術が開示されている。
【０００３】
載置面接着用部材Ｂは、下方に開口する接着剤保持凹部Ｂ１を備え、その接着剤保持凹部Ｂ１の中央部上方に、結合用環状部Ｂ２が形成され、その結合用環状部Ｂ２の上部は内外径共に縮径された縮径部Ｂ３に形成され、その縮径部Ｂ３の中央に上下貫通の結合用孔Ｂ４を有する。
【０００４】
支持体３０の支持部３２上に、各支持体側凸部３５が対応するマット結合用貫通孔２８の下部に嵌合するように植物生育用マット２０を積層すると共に、支持体結合用孔３９の下端部の拡径部３９ａに対し、載置面接着用部材Ｂの上部の縮径部Ｂ３を内嵌する。これにより、植物生育用マット２０を支持体３０における支持部３２上に水平方向に位置決めし、互いに対応するマット結合用貫通孔２８と支持体結合用孔３９並びに載置面接着用部材Ｂの結合用環状部Ｂ２が、上下に連通した状態とすることができる。このようにして上下に連通したマット結合用貫通孔２８と支持体結合用孔３９と結合用環状部Ｂ２に、マット結合用貫通孔２８の上開口から抜止尖頭部４０ｃを下向きにして結合体４０を挿入すると、支持体結合用孔３９及び載置面接着用部材Ｂの縮径部Ｂ３を通過する際に両抜止尖頭部４０ｃ同士がその支持体結合用孔３９及び載置面接着用部材Ｂの内周部により内方に押圧されて脚部４０ｂ同士が互いに内方にたわんだ状態でその両抜止尖頭部４０ｃが支持体結合用孔３９及び縮径部Ｂ３を通過した後、載置面接着用部材Ｂの結合用環状部Ｂ２において両脚部４０ｂが外方に拡がって両抜止尖頭部４０ｃも外方に復元する。すると、抜止尖頭部４０ｃの拡開した上側部は、結合用環状部Ｂ２における縮径部Ｂ３の下端に掛止され、大径平頭部４０ａが植物生育用マット２０の上面に掛止され、支持体３０に対する植物生育用マット２０の位置決めと共に積層結合を容易且つ確実に行い、植物栽培具Ｍを形成し得る。また、このようにして、結合体４０の連通孔４０ｅを介して接着剤を連通孔４０ｅの上部開口から接着剤保持凹部Ｂ１に配送することができる状態となる。
【０００５】
この植物栽培具Ｍを支持体３０において載置面Ｃ上に載置すると、載置面接着用部材Ｂの接着剤保持凹部Ｂ１を囲繞する外周側部分の下端部が載置面Ｃに接する状態となる。この状態において、結合体４０の連通孔４０ｅの上部開口から液状の接着剤を注入することにより、連通孔４０ｅを介して接着剤を接着剤保持凹部Ｂ１に配送することができる。これにより、接着剤保持凹部Ｂ１において植物栽培具Ｍを載置面に接着固定することができる。
【０００６】
この技術によれば、植物栽培具Ｍを載置面に対し固定することができるが、載置面接着用部材Ｂを支持体結合用孔３９に嵌合させ、結合体４０の連通孔４０ｅの上部開口から液状の接着剤を注入して載置面Ｃと載置面接着用部材Ｂを接着させる等の必要があった。
【先行技術文献】
【特許文献】
【０００７】
【特許文献１】特開２００７−３１２６０５号公報
【発明の概要】
【発明が解決しようとする課題】
【０００８】
本発明は、植物生育材を上側に支持するための下方透水及び上下通気可能な多孔状の支持盤部と、その支持盤部の下側に固定されて支持盤部を支持する多数の支柱部を備えてなり、被載置面部上に載置した状態においてその被載置面部に対する固定性を高めることができる植物生育材支持体、その植物生育材支持体を用いた植物生育材支持構造及び植物生育材支持構造の製法を提供することにある。
【課題を解決するための手段】
【０００９】
本発明は、次のように表すことができる。
【００１０】
(1) 植物生育材を上側に支持するための下方透水及び上下通気可能な多孔状の支持盤部と、その支持盤部の下側に固定されて支持盤部を支持する多数の支柱部を備えてなる植物生育材支持体であって、
平面視における所定区域内に多数の支柱部が位置し、
前記所定区域内において、隣接する複数の支柱部の下端部が、被載置面部上に載置され得る底面水平状の連結板部に固定されることにより、前記支柱部同士が連結板部を介して連結されていることを特徴とする植物生育材支持体。
【００１１】
支持盤部を上側にして被載置面部上に載置した場合、植物生育材を上側に支持するための下方透水及び上下通気可能な多孔状の支持盤部の下側が、多数の支柱部により被載置面部上に支持されるため、被載置面部と支持盤部の間に空間が形成され、例えば、支持盤部上に支持された植物生育材における植物の根に対する通気や植物生育材からの排水等に役立つものとすることができる。
【００１２】
植物生育材を上側に支持するための支持盤部を下側から支持する支柱部が、平面視における所定区域内に多数位置する。
【００１３】
その所定区域内において、隣接する複数の支柱部の下端部が、被載置面部に載置され得る底面水平状の連結板部に固定され、それらの支柱部同士が連結板部を介して連結されているので、隣接する複数の支柱部と連結板部からなる構造部分の剛性が向上する。
【００１４】
支持盤部を上側にして被載置面部上に載置し、連結板部の底面側が被載置面部上に載置された状態において、支柱部の下端部に固定された連結板部の上側と支持盤部の間には十分な空間が維持されるので、例えば、前記の支持盤部上に支持された植物生育材における植物の根に対する通気や植物生育材からの排水等が損なわれない。
【００１５】
また、連結板部の底面側を被載置面部に接着させることにより、被載置面部に対する植物生育材支持体の固定性を高めることができる。
【００１６】
(2) 平面視における上記所定区域内に、被載置面部上に載置され得る底面水平状の連結板部を複数有し、各連結板部に、隣接する複数の支柱部の下端部が固定され、それらの支柱部同士が連結板部を介して連結されている(1)記載の植物生育材支持体。
【００１７】
平面視における所定区域内に、隣接する複数の支柱部の下端部同士を連結した連結板部を複数有し、それらの各連結板部の底面側を被載置面部に接着させることにより、被載置面部に対する植物生育材支持体の固定性を高めることができる。
【００１８】
所定区域内に有する連結板部が複数であることにより、同じ底面積で単数である場合に比し、連結板部の底面積に対する連結板部の周縁の長さの割合が長くなるので、連結板部の周縁が粘着層又は接着層に埋入して粘着又は接着することによる粘着又は接着効果を高めることができる。
【００１９】
(3) 隣接する３又は４以上の支柱部の下端部が、連結板部における互いに離隔した位置に固定されている(1)又は(2)記載の植物生育材支持体。
【００２０】
連結板部における互いに離隔した位置に、隣接する３又は４以上の支柱部の下端部が固定されているので、それらの支柱部と連結板部からなる構造部分の剛性が効果的に向上する。
【００２１】
そのため、連結板部の底面側を被載置面部に接着させることにより、被載置面部に対する植物生育材支持体の固定性を効果的に高めることができる。
【００２２】
(4) 隣接する３又は４以上の支柱部の下端部が、連結板部の外周縁部における互いに離隔した位置に固定されている(1)又は(2)記載の植物生育材支持体。
【００２３】
連結板部の外周縁部における互いに離隔した位置に、隣接する３又は４以上の支柱部の下端部が固定されているので、それらの支柱部と連結板部からなる構造部分の剛性が効果的に向上する。
【００２４】
そのため、連結板部の底面側を被載置面部に接着させることにより、被載置面部に対する植物生育材支持体の固定性を効果的に高めることができる。
【００２５】
(5) (1)乃至(4)の何れかに記載の植物生育材支持体の連結板部の底面側が、被載置面部に設けられた接着又は粘着保持手段により保持された植物生育材支持構造。
【００２６】
(6) (1)乃至(4)の何れかに記載の植物生育材支持体の連結板部の底面側を、被載置面部に設けられた接着又は粘着保持手段に保持させる植物生育材支持構造の製法。
【発明の効果】
【００２７】
本発明によれば、所定区域内において、隣接する複数の支柱部の下端部が、被載置面部に載置され得る底面水平状の連結板部に固定され、それらの支柱部同士が連結板部を介して連結されているので、隣接する複数の支柱部と連結板部からなる構造部分の剛性が向上する。
【００２８】
その連結板部の底面側を被載置面部に接着させることにより、被載置面部に対する植物生育材支持体の固定性を高めることができる。
【００２９】
而も、支持盤部を上側にして被載置面部上に載置し、連結板部の底面側が被載置面部上に載置された状態において、支柱部の下端部に固定された連結板部の上側と支持盤部の間には十分な空間が維持されるので、例えば、前記の支持盤部上に支持された植物生育材における植物の根に対する通気や植物生育材からの排水等が損なわれない。
【図面の簡単な説明】
【００３０】
【図１】植物生育材支持体の上方側斜視図である。
【図２】植物生育材支持体の平面図である。
【図３】植物生育材支持体の正面図である。
【図４】図１におけるA部拡大斜視図である。
【図５】図１におけるB部拡大斜視図である。
【図６】図２におけるC-C断面図である。
【図７】図２におけるD-D断面図である。
【図８】植物生育材の上方側斜視図である。
【図９】挿通固定ピンの下方側斜視図である。
【図１０】植物生育材支持体の下方側斜視図である。
【図１１】図１０におけるE部拡大斜視図である。
【図１２】図１０における要部拡大斜視図である。
【図１３】植物生育材支持体を積層した状態の断面図である。
【図１４】図１３におけるF部拡大断面図である。
【発明を実施するための形態】
【００３１】
[1] 本発明の実施の形態を、図面を参照しつつ説明する。
【００３２】
図面は、本発明の実施の形態の一例としての植物生育材支持体及び植物生育材支持構造に関するものである。
【００３３】
植物生育材支持体１０は、支持盤部２０と支柱部３０・３２と連結板部４０からなり、合成樹脂の射出成形により一体成形されたものである。
【００３４】
(1) 支持盤部２０は、植物の根が張ってその植物が生育することが可能な植物生育材６０を上側に支持するためのものであって、上下方向に透水及び通気並びに栽培対象植物根の挿通が可能な格子状部を平面視における全面にわたり有する平面視正方形状の水平格子板状をなす。
【００３５】
支持盤部２０の中央部に、外周の四辺に平行で一辺の長さが約6/25の四辺からなる正方形状の所定区域２５を有する。支持盤部２０のうち、所定区域２５を除く部分は平面視正方形状の小格子２２からなり、所定区域２５は、縦横の長さが小格子２２の２倍の大格子２４からなる。各小格子２２及び大格子２４は、上下方向の貫通孔を形成し、上下方向に透水及び通気並びに栽培対象植物根の挿通が可能である。
【００３６】
(2) 植物生育材６０は、ポリエステル系合成繊維を約８０％含む繊維で編み組みされた織布の廃棄屑を開繊して繊維状に加工したものを主材料とし、これに、低融点のポリエステル繊維をバインダー繊維として混合分散させたものを所定の厚さに方向性なく立体的に集合させた繊維の集合体を、バインダー繊維が溶融する温度まで加熱した後プレスし、バインダー繊維を冷却・硬化させて繊維同士を結合させ繊維の間に無数の空隙を形成した状態で得られたマット状をなすものである。
【００３７】
植物生育においては、植物生育材６０の上側に床土層を形成することができる。
【００３８】
栽培対象植物の例としては、芝類、セダム類、こけ類、つた類等を挙げることができるがこれらに限るものではない。
【００３９】
支持盤部２０の四隅部には、それぞれ支持盤貫通孔２６が設けられている。
【００４０】
支持盤部２０上の支持盤貫通孔２６の周縁部に沿って全周にわたり連続状に円環状の内嵌用上方突部２８を有する。この内嵌用上方突部２８は、植物生育材６０における支持盤貫通孔２６に対応する位置にそれぞれ設けられた植物生育材貫通孔６２の下部側に内嵌し得るものとする。
【００４１】
支持盤部２０の下側には、支持盤貫通孔２６の周縁部に沿って全周に連続状にわたり円環状の下方突部２９を有する。
【００４２】
支持盤部２０上に植物生育材６０を載置して植物生育材貫通孔６２の下部側に支持盤部２０上の内嵌用上方突部２８を内嵌させることにより、支持盤部２０上に植物生育材を積層する際に両者の支持盤貫通孔２６と植物生育材貫通孔６２の位置合わせを容易に行うことができる。その上で、挿通固定ピン８０を尖端拡径部８０１の側から下向きに植物生育材貫通孔６２と支持盤貫通孔２６に挿通することにより尖端拡径部８０１と基端部８０２の間に植物生育材６０と支持盤部２０を挟んで固定することができる。挿通固定ピン８０の尖端拡径部８０１は、先端部に位置して基端側に向かって漸次拡径するものであって、弾性的に縮径し得る。挿通固定ピン８０の基端部８０２はフランジ状に拡径している。
【００４３】
また、多数の植物生育材支持体１０を保管や運搬のために積層する場合に、積層する植物生育材支持体１０同士を位置合わせしてその状態を維持するために、支持盤部２０の上側と下側に、それぞれ、支持盤部２０を上下に積層した場合に上下及び側方に支持し合うための上方支持突起部２６１及び下方支持突起部２６２を４箇所の支持盤貫通孔２６の位置に近接して有する。上方支持突起部２６１は内嵌用上方突部２８の外周の一部に沿うと共に内嵌用上方突部２８よりも上方に突出した円弧壁状をなし、下方支持突起部２６２は下方突部２９の外周の一部に沿うと共に下方突部２９よりも下方に突出した円弧壁状をなす。
【００４４】
支持盤部２０を上下に積層した場合、下側の支持盤部２０における円弧壁状の上方支持突起部２６１の上端部が、上側の支持盤部２０における円環状の下方突部２９の下端面のうち周方向の一定部分を上向きに支持し、各箇所において、上方支持突起部２６１と下方支持突起部２６２は、上側の支持盤部２０における下方支持突起部２６２の内周側と、下側の支持盤部２０における円弧壁状の上方支持突起部２６１の外周側が、側方に支持し合い得るように設けられている。
【００４５】
各箇所において、円弧壁状の上方支持突起部２６１と円弧壁状の下方支持突起部２６２は、互いに向きが一致し、異なる箇所における円弧壁状の上方支持突起部２６１同士の向き（従って円弧壁状の下方支持突起部２６２同士の向き）は、互いに異なるので、４箇所における上方支持突起部２６１と下方支持突起部２６２が協働することにより、積層する植物生育材支持体１０同士が位置合わせされた状態が維持される。この例では、支持盤部２０の中心に対する位置が９０度異なる４箇所のそれぞれにおいて、上方支持突起部２６１と下方支持突起部２６２は、支持盤部２０の中心から見て支持盤貫通孔２６における外方側に位置し、支持盤部２０の中心に対し凹状をなす。
【００４６】
(3) 支柱部及び連結板部
【００４７】
支持盤部２０に対し垂直状をなす多数の支柱部３０・３２が支持盤部２０の下側に固定されて支持盤部２０を支持する。
【００４８】
所定区域２５内では、大格子２４を形成する平面視正方形の頂点毎に、水平断面の形状が正方形状で円形断面の貫通孔を有する支柱部３０が設けられている。
【００４９】
所定区域２５以外では縦横２つずつの小格子２２からなる平面視正方形の頂点位置毎に、水平断面の形状が円形で円形断面の貫通孔を有する支柱部３２が設けられている。
【００５０】
所定区域２５内における大格子２４を形成する平面視正方形の頂点毎に設けられた４本の支柱部３０の下端部により囲まれた平面視正方形状部分に、平面視正方形状の連結板部４０が位置し、前記４本の支柱部３０の下端部の水平断面における正方形の頂点部のうち内方側（前記平面視正方形状部分側）の頂点部が、連結板部４０の４つの頂点部に固定されることにより、支柱部３０の内方側の角部の側部同士が連結板部４０を介して連結されている。
【００５１】
所定区域２５内における全ての支柱部３０は、このように連結板部４０に固定されており、隣接する連結板部４０は、支柱部３０の水平断面における１辺の長さの半分程度を隔てて、対応する辺同士が相対する。
【００５２】
連結板部４０の底面側は平面であり、支持盤部２０を上側にして植物生育材支持体１０を水平な平面上に載置した場合に、連結板部４０は、その底面側が前記水平な平面上に水平状に支持され得る。
【００５３】
支柱部３０・３２の下端部及び連結板部４０の底面部を、被載置面部Ｒに敷設して下面側をその被載置面部Ｒに粘着させたブチルゴムシート製の粘着層部Ｓ上に載置することにより、支柱部３０・３２の下端部及び連結板部４０の底面部が粘着層部Ｓに粘着保持されて植物生育材支持構造が構成されている。
【００５４】
植物生育材支持体１０の支柱部３２により被載置面部Ｒと支持盤部２０の間に形成された空間、並びに、支柱部３０及び連結板部４０により連結板部４０の上面と支持盤部２０の間に形成された空間は、例えば、支持盤部上に支持された植物生育材における植物の根に対する通気や植物生育材からの排水等に役立ち得る。
【００５５】
[2] 本発明の実施の形態を、上記以外の形態を含めて更に説明する。
【００５６】
本発明の植物生育材支持体は、支持盤部と支柱部と連結板部からなり、屋上や、植物の生育に適した土壌が存在しないコンクリート、アスファルト、石、レンガ等により覆われた面等を緑化するためのものである。
【００５７】
植物生育材支持体は、合成樹脂の射出成形により一体成形されたものとすることができるが、これに限るものではない。
【００５８】
本発明の植物生育材支持構造は、本発明の植物生育材支持体の連結板部の底面側が、被載置面部に設けられた接着又は粘着保持手段により保持されたものであり、本発明の製法は、植物生育材支持体の連結板部の底面側を、被載置面部に設けられた接着又は粘着保持手段に保持させるものである。
【００５９】
(1) 支持盤部は、植物の根が張ってその植物が生育することが可能な植物生育材を上側に支持するためのものであって、下方透水及び上下通気可能な多孔状（上下透水可能であってよいことは言うまでもない。）をなす。このような支持盤部の例としては、各種形状の下方透水及び上下通気可能な透孔（例えば、上下通気性及び上下透水性があるもの、或いは、通気性及び透水性があり植物根が挿通し得るもの）を全体又は所要部分に満遍なく若しくは多数有するものとすることができる。
【００６０】
支持盤部（及び植物生育材支持体）は、例えば平面視多角形状とすることができるが、同一形状の植物生育材支持体を被載置面部上に多数隙間なく隣接載置する上で、好ましくは平面視方形状、より好ましくは平面視正方形状である。
【００６１】
(2) 植物生育材は、例えば、各種繊維が立体的に集合してマット状をなすものとすることができるが、これに限るものではない。
【００６２】
植物生育材のより具体的な材料及び構造の例としては、ポリエステル系合成繊維を約８０％含む繊維で編み組みされた織布の廃棄屑を開繊して繊維状に加工したものを主材料とし、これに、低融点のポリエステル繊維（例えば全体の約２０重量％）をバインダー繊維として混合分散させたものを所定の厚さに方向性なく立体的に集合させた繊維の集合体を、バインダー繊維が溶融する温度まで加熱した後プレス（繊維等が集合した状態の厚さに対して約２５％の厚さとなるようプレス）し、バインダー繊維を冷却・硬化させて繊維同士を結合させ繊維の間に無数の空隙を形成した状態で得られたマット状をなすものを挙げることができる。
【００６３】
植物生育においては、植物生育材の上側に床土層を形成することができる。床土層としては、例えばパーライトやゼオライト等を含有する軽量土壌やその他の土壌を用いることができる。
【００６４】
栽培対象植物の例としては、芝類、セダム類、こけ類、つた類等を挙げることができるがこれらに限るものではない。
【００６５】
なお、支持盤部に対し植物生育材を容易に固定することができる植物生育材固定手段を有することが好ましい。このような植物生育材固定手段の例としては、植物生育材及び支持盤部にそれぞれ植物生育材貫通孔及び支持盤貫通孔を（好ましくは複数）設け、植物生育材貫通孔と支持盤貫通孔の位置が合うように支持盤部上に植物生育材を積層した上で、挿通固定ピン（先端部に位置して基端側に向かって漸次拡径する尖端拡径部が弾性的に縮径し得、基端部がフランジ状に拡径したもの）を、尖端拡径部の側から下向きに植物生育材貫通孔と支持盤貫通孔に挿通することにより尖端拡径部と基端部の間に植物生育材と支持盤部を挟んで固定することができるものや、支持盤部上に植物生育材（例えば繊維が立体的に集合したもの）と接合し得る面ファスナ状部を形成したもの等を挙げることができる。なお、植物生育材において生育した根が支持盤部の透孔やその透孔を通じて支持盤部の下側に伸びることによっても支持盤部に対し植物生育材が固定され得る。
【００６６】
支持盤部上に植物生育材を積層する際に植物生育材貫通孔と支持盤貫通孔の位置合わせを容易にする上で、支持盤部上の（好ましくは複数の）支持盤貫通孔の周縁部に（好ましくは周縁部に沿って全周又は一部に連続状に又は周方向間隔おきに）、植物生育材貫通孔の下部側に内嵌し得る内嵌用上方突部を有するものとすることができる。
【００６７】
また、多数の植物生育材支持体を保管や運搬のために積層する場合に、積層する植物生育材支持体同士を位置合わせしてその状態を維持するために、支持盤部の上側と支持盤部の下側に、それぞれ、支持盤部を上下に積層した場合に上下及び側方に支持し合うための上方支持突起部及び下方支持突起部等の構造部分を例えば前記支持盤貫通孔に近接した位置に有するものとすることができる。このような構造部分を、好ましくは複数箇所に設けることにより、上下に積層した上側の植物生育材支持体の支持盤部における複数箇所において、上下に支持し合うと共に側方に支持し合うことにより、積層する植物生育材支持体同士が位置合わせされた状態が維持される状態となり得る。
【００６８】
(3) 支柱部及び連結板部
【００６９】
(3-1) 多数の支柱部が支持盤部の下側に固定されて支持盤部を支持する。
【００７０】
平面視における所定区域内に多数の支柱部が位置し、その所定区域内において、隣接する複数（好ましくは３又は４以上）の支柱部の下端部が、被載置面部上に載置され得る底面水平状の連結板部に固定されることにより、支柱部同士が連結板部を介して連結されている。支柱部の下端部が連結板部に固定されるというのは、例えば、支柱部の下端部の側部が連結板部に固定される場合と、支柱部の下端部の下面部が連結板部に固定される場合が有り得る。連結板部の上面部の高さ位置は、支柱部の下端部であるものとすることができる。
【００７１】
所定区域内の全ての支柱部又は一部の支柱部の下端部が、何れかの連結板部に固定されている。
【００７２】
所定区域内というのは、例えば、平面視における全域又は一部の区域内であり、一つの区域内とすることもでき、複数の各区域内とすることもできる。
【００７３】
１つの植物生育材支持体における支柱部の種類は、１種類又は複数種類とすることができる。例えば、平面視における所定区域内の支柱部と所定区域外の支柱部の種類を別のものとすることができる。
【００７４】
支持盤部を上側にして植物生育材支持体を水平な平面上に載置した場合に、連結板部は、その底面側が前記水平な平面上に水平状に支持され得る。連結板部の底面側は、平面とすることができるが、必ずしもこれに限るものではなく、例えば、全体として平面に沿った形状で凹凸等を有するものとすることも可能である。
【００７５】
(3-2) 支柱部は、水平断面の形状が例えば、正方形、長方形、正三角形、二等辺直角三角形、その他の三角形、その他の正多角形、円形、楕円形等とすることができるが、これらに限るものではない。
【００７６】
また支柱部は、例えば、円形又はその他の水平断面形状の貫通孔を有するものとすることにより、重量及び材料コストを節減すると共に剛性の確保を図り得るものとすることができる。
【００７７】
更に、支柱部は、支持盤部に対し垂直なものとすることが好ましいが、これに限るものではない。
【００７８】
(3-3) 連結板部の平面視形状は、例えば、正方形、長方形、正三角形、二等辺直角三角形、その他の三角形、その他の正多角形、円形、楕円形等とすることができるが、これらに限るものではない。好ましくは正方形である。
【００７９】
(3-4) 植物生育材支持体は、支柱部及び連結板部により（或いは、連結板部のみにより）被載置面部上に支持される。これにより、被載置面部と支持盤部の間又は連結板部の上側と支持盤部の間に空間を形成することができ、この空間は、例えば、支持盤部上に支持された植物生育材における植物の根に対する通気や植物生育材からの排水等に役立つものとすることができる。
【００８０】
支柱部の下端部及び連結板部の底面部（或いは、連結板部の底面部のみ）を、接着剤や粘着材等の接着又は粘着保持手段を用いて被載置面部に接着又は粘着等により保持させることにより、被載置面部に対する植物生育材支持体の固定性を高めることができ、屋上その他の屋外での使用において風力等により植物生育材支持体が被載置面部から離脱することを防ぐことができる。具体的には、例えば、下面側が屋上等の被載置面部に粘着し、上面側が連結板部の底面部（又は支柱部の下端部及び連結板部の底面部）に粘着し得る粘着材料製のシート体（例えばブチルゴムシート）を被載置面部に敷設して被載置面部に粘着させることにより粘着層部を形成し、或いは、被載置面部に接着剤を塗布し、その上に、支持盤部を上側にして植物生育材支持体を載置することにより、支柱部の下端部及び連結板部の底面部（或いは、連結板部の底面部のみ）を、被載置面部に形成した粘着層部又は塗布した接着剤に粘着又は接着させることができる。
【００８１】
(3-5) 平面視における所定区域内に、被載置面部上に載置され得る底面水平状の連結板部を複数（好ましくは３又は４以上、より好ましくは多数）有し、各連結板部に、隣接する複数（好ましくは３又は４以上）の支柱部の下端部が固定され、それらの支柱部同士が連結板部を介して連結されたものとすることができる。
【００８２】
所定区域内における複数の連結板部は、互いに同一性のあるものとすることができるほか、一部又は全ての連結板部において平面視形状等が異なるものとすることもできる。
【００８３】
所定区域内に有する連結板部が複数であることにより、同じ底面積で単数である場合に比し、連結板部の底面積に対する連結板部の外周縁（又は内周縁）の長さの割合が長くなるので、連結板部の周縁が粘着層部や接着剤層に埋入して粘着又は接着することによる粘着又は接着効果を高めることができる。
【００８４】
(3-6) 一つの連結板部における互いに離隔した位置に、隣接する３又は４以上の支柱部の下端部が固定されたものとすることができる。
【００８５】
この場合、それらの支柱部と連結板部からなる構造部分の剛性を効果的に向上させることができる。
【００８６】
このような隣接する３又は４以上の支柱部の下端部は、一つの連結板部の外周縁部における互いに離隔した位置に固定されたものとすることが好ましい。
【００８７】
この場合、それらの支柱部と連結板部からなる構造部分の剛性を、より効果的に向上させることができる。
【００８８】
更に、隣接する複数（好ましくは３又は４以上）の支柱部の下端部は、例えば、連結板部の外周縁部における互いに可及的に離隔した位置にのみ固定されたものとすること、又は、連結板部の外周縁部における互いに可及的に離隔した位置に２以上の支柱部の下端部が固定され、連結板部の内方部に１以上の支柱部の下端部が固定されたものとすることができる。
【００８９】
例えば、連結板部が平面視において正多角形状又はその他の多角形状である場合、隣接する複数（好ましくは３又は４以上）の支柱部の下端部がその正多角形又はその他の多角形の各頂点部にのみ固定されたもの、又は、隣接する２以上の支柱部の下端部がその正多角形又はその他の多角形の各頂点部に固定され、１以上の支柱部の下端部がその多角形の内方部に固定されたものとすることができる。
【符号の説明】
【００９０】
１０      植物生育材支持体
２０      支持盤部
２２      小格子
２４      大格子
２５      所定区域
２６      支持盤貫通孔
２６１    上方支持突起部
２６２    下方支持突起部
２８      内嵌用上方突部
２９      下方突部
３０      支柱部
３２      支柱部
４０      連結板部
６０      植物生育材
６２      植物生育材貫通孔
８０      挿通固定ピン
８０１    尖端拡径部
８０２    基端部
Ｒ        被載置面部
Ｓ        粘着層部
【図１】
2016002045.tif 000003
【図２】
2016002045.tif 000004
【図３】
2016002045.tif 000005
【図４】
2016002045.tif 000006
【図５】
2016002045.tif 000007
【図６】
2016002045.tif 000008
【図７】
2016002045.tif 000009
【図８】
2016002045.tif 000010
【図９】
2016002045.tif 000011
【図１０】
2016002045.tif 000012
【図１１】
2016002045.tif 000013
【図１２】
2016002045.tif 000014
【図１３】
2016002045.tif 000015
【図１４】
2016002045.tif 000016